(57)【要約】【課題】非火災時の壁体内通気を保証し、火炎が波及した時にこの火炎が壁体内通気路を通ることを抑制する効果が大きい建造物の壁体を提供することにある。【解決手段】壁体内通気を可能とする通気孔233が壁枠体18の壁体内区画材をなす上枠223及び下枠222等に設けられた建物201の壁体204であって、通気防炎網状体242を有する。網状体242は、通気性を有するとともに火炎の通過を抑制する機能を有する金網等で作られていて、通気孔233を塞ぐように設けられている。この網状体242により、非火災時には通気孔233を通る壁体内通気を許し、火炎が波及した時には火炎が通気孔233を通って伝播することを抑制するようにしている。【選択図】    図１
2004162517.tif 000002
【特許請求の範囲】
【請求項１】
壁体内通気を可能とする通気部が壁体内区画材に設けられた建造物の壁体であって、通気性を有するとともに火炎の通過を抑制する機能を有した通気防炎網状体が、前記通気部を塞ぐように前記壁体内区画材に取付けられている建造物の壁体。
【請求項２】
前記通気部は上下両端が開口されているとともに、この通気部の少なくとも一端が前記通気防炎網状体で塞がれている請求項１に記載の建造物の壁体。
【請求項３】
壁体内通気を可能とする通気部が壁体内区画材に設けられた建造物の壁体において、
通気性を有するとともに火炎の通過を抑制する機能を有して前記通気部を塞ぐように前記壁体内区画材に取付けられた通気防炎網状体と、前記通気部に臨んで設けられ、所定温度以下では未発泡状態を維持し、かつ、所定温度を超える温度では前記通気部の通気を妨げるように発泡膨張する耐火性の発泡剤とを具備する建造物の壁体。
【請求項４】
前記通気防炎網状体が金属製であって、この通気防炎網状体に前記発泡剤が接して設けられている請求項３に記載の建造物の壁体。
【請求項５】
前記通気部は上下両端が開口されているとともに、この通気部の下端開口又は中間部が前記通気防炎網状体で塞がれていて、この通気防炎網状体に支持されて前記発泡剤が前記通気部に収容されている請求項３又は４に記載の建造物の壁体。
【請求項６】
屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有した請求項１から５の内のいずれか１項に記載の壁体とを具備する建造物。
【請求項７】
通気性を有するとともに火炎の通過を抑制する機能を有し、かつ、建造物の壁体が備える壁体内区画材の通気部を塞ぐように前記壁体内区画材に取付けられた通気防炎網状体により、前記通気部を通ろうとする火炎の流通を抑制するようにした防火方法。
【請求項８】
通気性を有するとともに火炎の通過を抑制する機能を有して建造物の壁体が備える壁体内区画材の通気部を塞ぐように前記壁体内区画材に取付けられた通気防炎網状体により、火災時に前記通気部を通ろうとする火炎の流通を抑制しながら、前記通気部に臨んで設けられていて、所定温度以下では未発泡状態を維持し、かつ、所定温度を超える温度では発泡膨張する耐火性の発泡剤を、前記通気部を実質的に閉塞するように発泡させて、火炎の流通を遮断するようにした防火方法。
【発明の詳細な説明】
【０００１】
【発明の属する技術分野】
本発明は、壁体内通気によって例えば建物の床下空間から小屋裏空間への通気ができる建造物の壁体、及びこの壁体を備える木造住宅等の建造物、並びに防火方法に関する。
【０００２】
【従来の技術】
外装材の内側に外気を流通させる壁体内通気路を設けた木造住宅等は、建物躯体内部に湿気又は熱気がこもりにくい点で優れている。この住宅等では、火災の発生に伴い、壁体内通気路を通して火炎が上方に広がって、階上への延焼を防止或いは遅らせる技術の開発、検討が行われている。このような技術として次のような技術が知られている。
【０００３】
（１）木材又は金属その他各種材質の板材に設けた複数の通気孔の内面に、火災時の熱により発泡膨張して通気孔を塞ぐパイプ状の耐火性発泡剤を配設してなる防火遮断板を、壁体内空間の少なくとも１箇所以上に配設することで、常態では壁体内通気路を確保する一方、火災時には耐火性発泡材の膨張により階上への延焼を防止或いは遅らせる技術（例えば、特許文献１参照）。
【０００４】
（２）多数の通気孔を有する芯材の表面に、加熱されることにより発泡して通気孔を閉塞しうる加熱発泡性耐火塗料を塗布したファイアストップ材を、建物の壁体の内壁と外壁との対向面間に配設することで、常態では壁体内通気路を確保する一方、火災時には加熱発泡性耐火塗料が加熱されて発泡することによりファイアストップ材の通気孔を閉塞し火炎の流通を遮断する技術（例えば、特許文献２参照）。
【０００５】
（３）壁内の平面断面積に対して、延べ面積が３％以上３０％以下となる孔を有する火炎ストッパーを壁体内通気路内に設けることで、常態では壁体内通気路を確保する一方、火災時には壁体内空間を酸素欠乏状態として、火炎の拡がりを抑制する技術（例えば、特許文献３参照）。
【０００６】
【特許文献１】
特開平８−１３５０３８号公報（段落０００５−００２０、図１−図６）
【０００７】
【特許文献２】
特開２００１−２５２３６５号公報（段落０００８−００３１、図１−図５）
【０００８】
【特許文献３】
実用新案登録第２６０２５３３号公報（第２頁右欄第３行〜第６行、第２頁左欄第１行〜第６行、図３、図４）
【０００９】
【発明が解決しようとする課題】
耐火性発泡剤又は耐火性発泡塗料の発泡温度は約２００℃〜２５０℃である。このため、特許文献１及び２に記載の技術では、火炎が波及した初期の段階では発泡剤や発泡塗料が発泡温度に到達しないため、火炎が通気孔を通り抜けようとすることを効果的に抑制できない。
【００１０】
また、壁体内通気路の内部に設けられた孔の延べ面積を一定の範囲とすることで、通気と遮炎の両立を図る特許文献３に記載の技術では、通気を有効とする場合は遮炎が不十分となり、遮炎を有効とする場合は通気が不十分となる。このため、壁体内通路の通気とこの通路での遮炎とを両立させ難く、実用性に欠ける。
【００１１】
本発明の目的とするところは、非火災時の壁体内通気を保証し、火炎が波及した時にこの火炎が壁体内通気路を通ることを抑制する効果が大きい建造物の壁体、及び建造物、並びに防火方法を提供することにある。
【００１２】
【課題を解決するための手段】
前記目的を達成するために、請求項１の発明は、壁体内通気を可能とする通気部が壁体内区画材に設けられた建造物の壁体であって、通気性を有するとともに火炎の通過を抑制する機能を有した通気防炎網状体が前記通気部を塞ぐように前記壁体内区画材に取付けられていることを特徴としている。
【００１３】
この請求項１及び以下の各発明で、壁体内区画材とは、ツーバイフォー工法やツーバイシックス工法等の規格工法に用いる壁枠体で代表される枠体を含み、壁体内を上下に区画する上下両枠、側根太及び端根太、梁、胴差し、その他の横架材、又は壁体を幅方向に区画するたて枠等の鉛直材の内の少なくとも横架材を指している。更に、壁体内区画材には木造在来工法、軽量鉄骨工法を含む柱、梁等も含んでいる。この壁体内区画材の通気部は、壁体内区画材を厚み方向に貫通する通気孔、又は鉛直方向に沿って配置される内装材等によって壁体の上部または下部の開放端を閉じられて、内装材等との間に形成された開口または実質的な孔構造を形成する通気溝等を含んでいる。
【００１４】
又、請求項１及び以下の各発明で、通気防炎網状体は、耐火性より好ましく不燃性を有し、かつ、通気性、耐久性を有するものであって、例えば亜鉛めっきや耐食塗装等により耐食加工された金属、又はステンレスのように素材自体が耐食性を有する金属で作られる網やパンチングメタル等を好適に使用できる。更に、通気防炎網状体には、グラスウールとその保持材などからなるものを用いることもでき、又は耐熱性（不燃性を含む）合成樹脂製とすることも可能であり、しかも、以上の材料を併用した構成とすることもできる。
【００１５】
この発明において、常態（非火災時）では壁体内の温度差が少ないことから、通気防炎網状体を挟む両側の領域に圧力差が生じにくい。これにより、通気防炎網状体の圧損抵抗は無視できる程度であるので、この網状体が壁体内通気路の通気を実質的に阻害することはない。しかし、火災発生時には通気防炎網状体を挟む両側の領域の温度差が大きいことから、この領域の圧力差が大きくなるに伴い、通気防炎網状体での圧損抵抗は無視できないものとなる。これにより、通気部に波及した火炎の伝播を波及初期から通気防炎網状体で抑制することが可能となる。
【００１６】
請求項２の発明では、前記通気部は上下両端が開口されているとともに、この通気部の少なくとも一端が前記通気防炎網状体で塞がれていることを特徴としている。
【００１７】
この発明では、通気防炎網状体を挟む両側の領域が上下に区分されるので、左右に区分される場合に比べて、この領域の温度差及び圧力差が火災発生時には大きい。したがって、火災発生時には通気防炎網状体での圧損抵抗がより大きくなって、火炎の上方への伝播を通気防炎網状体でより有効に抑制することが可能となる。
【００１８】
又、前記課題を解決するために、請求項３の発明は、壁体内通気を可能とする通気部が壁体内区画材に設けられた建造物の壁体において、通気性を有するとともに火炎の通過を抑制する機能を有して前記通気部を塞ぐように前記壁体内区画材に取付けられた通気防炎網状体と、前記通気部に臨んで設けられ、所定温度以下では未発泡状態を維持し、かつ、所定温度を超える温度では前記通気部の通気を妨げるように発泡膨張する耐火性の発泡剤とを具備したことを特徴としている。
【００１９】
この請求項３及び以下の各発明で、発泡剤が通気部に臨んで設けられるとは、通気部の内部又は通気部の一端部に発泡剤が設置される形態を含むことは勿論であり、これ以外にも通気部から外れてはいるが近接して対向している設置形態も含んでいる。したがって、発泡剤が通気防炎網状体に接しているかどうかは問わない。
【００２０】
請求項３の発明で、非火災時には、壁体内区画材にその通気部を塞ぐように設けられた通気防炎網状体及び通気部を通しての壁体内通気が可能である。万一の火災時には、その初期にも既述の壁体内通気が行われているにも拘らず、通気部に波及した火炎の伝播を、この波及初期から通気防炎網状体で抑制することが可能である。そして、こうした火炎の伝播抑制下で発泡剤は、火炎や熱風等で加熱され所定温度に達して、通気部を閉じるように発泡膨張し、前記壁体内通気を実質的に断つように機能するので、火炎の伝播を抑制可能である。
【００２１】
請求項４の発明では、前記通気防炎網状体が金属製であって、この通気防炎網状体に前記発泡剤が接して設けられていることを特徴としている。
【００２２】
この発明では、波及した火炎によって通気防炎網状体が速やかに昇温することを利用して、この網状体の熱で直接発泡剤を加熱するので、発泡剤を速やかに発泡温度に昇温させることが可能である。
【００２３】
請求項５の発明では、前記通気部は上下両端が開口されているとともに、この通気部の下端開口又は中間部が前記通気防炎網状体で塞がれていて、この通気防炎網状体に支持されて前記発泡剤が前記通気部に収容されていることを特徴としている。
【００２４】
この発明では、火災時に発泡剤を通気部の内側で発泡膨張させるので、通気部を塞ぐ信頼性が高く、通気部での通気を断って火炎の伝播を抑制することが可能である。
【００２５】
請求項６に係る発明の建造物は、屋根裏に形成された小屋裏空間と、この小屋裏空間の空気を換気する小屋裏換気部と、床下に形成された床下空間と、この床下空間の空気を換気する床下換気部と、前記両空間を連通する壁体内通気路を有した請求項１から５の内のいずれか１項に記載の壁体とを具備している。
【００２６】
この発明では、請求項１から５の内のいずれか１項に記載の壁体を備えているので、非火災時には壁体内通気を可能とできるにも拘らず、壁体内通気路に火炎が波及した初期状態を含めて、壁体内通気路を通ろうとする火炎の伝播を抑制することが可能である。
【００２７】
請求項７に係る発明の防火方法は、通気性を有するとともに火炎の通過を抑制する機能を有し、かつ、建造物の壁体が備える壁体内区画材の通気部を塞ぐように前記壁体内区画材に取付けられた通気防炎網状体により、前記通気部を通ろうとする火炎の流通を抑制するようにしている。
【００２８】
この発明では、非火災時では壁体内の温度差が少ないことから通気防炎網状体を挟む両側の領域に圧力差が生じにくく、通気防炎網状体の圧損抵抗は無視できるので、この網状体が壁体内通気路の通気を実質的に阻害することはない。しかし、火災発生時には通気防炎網状体を挟む両側の領域の温度差が大きくなるに伴い、これらの領域の圧力差が大きくなって、通気防炎網状体での圧損抵抗は無視できないものとなる。これにより、通気部に波及した火炎の伝播を波及初期から通気防炎網状体で抑制することが可能となる。
【００２９】
請求項８に係る発明の防火方法では、通気性を有するとともに火炎の通過を抑制する機能を有して建造物の壁体が備える壁体内区画材の通気部を塞ぐように前記壁体内区画材に取付けられた通気防炎網状体により、火災時に前記通気部を通ろうとする火炎の流通を抑制しながら、前記通気部に臨んで設けられていて、所定温度以下では未発泡状態を維持し、かつ、所定温度を超える温度では発泡膨張する耐火性の発泡剤を、前記通気部を実質的に閉塞するように発泡させて、火炎の伝播を遮断するようにしている。
【００３０】
この発明では、非火災時には通気防炎網状体及び通気部を通しての壁体内通気が可能であり、万一の火災時には、壁体内通気路を通ろうとする火炎の上方等への伝播を、通気防炎網状体で火災が波及した初期から抑制しつつ、火炎や熱風等で加熱される発泡剤を通気部を閉じるように発泡膨張させて、前記壁体内通気を実質的に断って、火炎の伝播を抑制することが可能である。
【００３１】
【発明の実施の形態】
以下、図１〜図５を参照して本発明を木造の枠組壁工法に適用した第１実施形態について説明する。なお、この実施形態で述べる不燃性の部材とは、建築基準法第２条九項でいう不燃材料に適合する材料で作られた部材を指し、同じく難燃性の部材とは、建築基準法施行令第１条五項及び六項に規定する準不燃材料及び難燃材料で作られた部材を指している。
【００３２】
図１中符号２０１で示す建造物例えば建物は、その外壁において外断熱を施した木造住宅であるとともに、外側通気空間としての外側通気層２０２と、内側の中空層を内側通気空間としての内側通気層として利用した壁体内通気路２０３とを備えている。
【００３３】
外断熱を施すとともに外側通気層２０２を設けるために、建物２０１の躯体をなす壁体２０４の外側に断熱材２０５（第１の外壁）が外張りされているとともに、この断熱材２０５の外面との間に所定の隙間を設けて外装材２０６（第２の外壁）が外張りされている。断熱材２０５には、合成樹脂発泡断熱材例えば発泡ポリスチレンを一層又は複層としたボードを好適に使用でき、難燃性又は不燃性のフェノールフォーム、ＡＬＣ（軽量発泡コンクリート）、耐熱性合成樹脂の板等も使用することができる。断熱材２０５の屋内側の面には後述する面材２３９が配置されるので、断熱材２０５は壁体内通気路２０３に直接に晒されない。
【００３４】
この断熱材２０５と外装材２０６との間には上下方向に延びる図示しない胴縁が挟まれている。これらの部材によって断熱材２０５の外側に外側通気層２０２を形成する前記隙間が確保されている。
【００３５】
壁体２０４の外側通気層２０２の下端は雨仕舞のための水切りまわりで大気中に連通されている。建物２０１の小屋裏空間２０７も外断熱を施されている。そのために、図１に示すように外装材をなす屋根材２０８の裏側に小屋裏断熱材２０９が配設され、これらの間に屋根部外側通気層２１０が形成されている。小屋裏断熱材２０９と断熱材２０５とは連続している。小屋裏断熱材２０９には、断熱材２０５と同種の断熱材を使用できる。屋根部外側通気層２１０の下側に壁体２０４の外側通気層２０２の上端が連通されているとともに、外側通気層２１０の上部は屋根部に設けた図示しない排気口に連通されている。なお、壁体２０４の外側通気層２０２は軒下付近で外気と連通していても良い。この場合、外側通気層２０２は屋根部外側通気層２１０とは連通していなくても良い。外側通気層２０２が屋根部外側通気層２１０と連通していない場合は、屋根部の熱気を排出するために、軒下付近に外気と連通する開口部を設けておくことは必要である。
【００３６】
図１に示すように建物２０１の上部の小屋裏空間には、小屋裏空間２０７と屋外との連通を任意に開閉できる小屋裏換気部として１つ以上の小屋裏ダンパー２１１が取付けられている。このダンパー２１１は、手動又は電動により開閉できるものであって、ドレーキップ窓や天窓等、開口部開閉用の通常の建具を包含し電動ファンを備えていても良い。
【００３７】
図１中符号２１２は建物２０１の基礎コンクリート２１３によって区画された床下空間を示している。基礎コンクリート２１３には断熱材２１３ａが施されている。床下空間２１２内の温度が外気温の影響を受けにくくするために、断熱材２１３ａは、基礎コンクリート２１３の外側に施すことが望ましいが、屋内側であってもよい。基礎コンクリート２１３は所定箇所に１以上の床下換気口２１４を有している。床下換気口２１４は手動又は電動により任意に開閉できる床下ダンパー２１５が取付けられている。
【００３８】
基礎コンクリート２１３上には土台２１６が固定されている。この土台２１６上には壁体内通気路２０３を有する枠組壁構造の壁体２０４が設けられている。
図１に示す２階建て以上の建物２０１の壁体２０４は、頭つなぎ２２４、壁枠体２１８を構成する上下両枠２２２，２２３及び図示しないたて枠、側根太又は端根太２３８、通気防炎網状体２４２（以下網状体と略称する。）、土台２１６、及び図示しない開口部廻りに設けられたまぐさや窓などの開口部等を備えている。
【００３９】
図１中符号２３９は、壁体２０４等の屋外面に配置された合板などの面材を示し、断熱材２０５の屋内側の面を覆っている。この面材２３９には、枠組壁構造の耐震性能を得られる面材を好適に使用でき、例えば構造用合板、構造用パネル、中密度繊維版（ＭＤＦ）、せっこうボード、パーティクルボード、ＡＬＣ（軽量発泡コンクリート）等を挙げることができる。この面材２３９を設けることにより、断熱材２０５が壁体内通気路２０３に直接に晒されなくなる。これによって、断熱材２０５の施工性が向上されるとともに、内部火災による熱や炎の影響を断熱材２０５が受けにくくなる。更に、面材２３９は、小屋裏断熱材２０９の屋内面にも設けることができる。断熱材２０５を、火災時の耐熱性が不燃材よりも低い、難燃性の材料とした場合には、この断熱材２０５に面材２３９を設けることが好ましい。
【００４０】
壁枠体２１８は、図４に例示するように上枠２２３、下枠２２２の両端を図示しないたて枠で連結するとともに、内側に適当本数の例えばたて桟２２５を上下両枠２２２、２２３等に渡って架設して構成されている。この場合、階下用壁枠体２１８ａは、土台２１６上に下側の端根太２３８を介して配置されているとともに、前記図示しないたて枠と基礎コンクリート２１３とを直接的に緊結する図示しないホールダウン金物や帯金物等を介して固定されている。
【００４１】
壁枠体２１８が備える上下両枠２２２、２２３及びたて枠は、所定厚みを有する木材などの炭化層を形成し得る例えば杉、松、米つがなどの無垢材又は構造用集成材、ＬＶＬといったものからなる。木材の場合の厚みは、例えば枠組壁工法での規格厚さ３８mmが望ましく、少なくとも３０ｍｍ以上とすればよい。更に、壁枠体２１８は、そのたて枠によって壁体内空間を左右方向に区切ることもできる。これらの上下両枠２２２，２２３、及び前記図示しないたて枠は、構造強度上安全が確認される範囲において任意の位置に配置でき、木材の他に難燃性又は不燃性のフェノールフォーム、ＡＬＣ、耐熱性合成樹脂、金属、ガラス等を材料とした部材を使用できる。上下両枠２２２，２２３、及びたて枠は、壁体内に隙間なく設けることが必要であり、いずれも壁体２０４の幅と同じ幅にして作られているが、スペーサー等を用いて隙間を塞ぐように設けられていてもかまわない。また、頭つなぎ２２４、たて桟２２５の形状並びに材料も上下両枠２２２，２２３と同じにすることができる。
【００４２】
図１中壁枠体２１８ａ、２１８ｂには、内装下地材およびこの表面に張られて居住空間Ｓに臨むせっこうボードなどからなる壁用内装材２２６が張り付けられている。この壁用内装材２２６の下端には床体を構成する面材例えば床耐力面材２２７が連結され、これらの床耐力面材２２７は階下用又は階上用の床根太２２８に支持されている。床耐力面材２２７の下面は階上側床下空間２３４又は床下空間２１２に臨んでいる。
【００４３】
図１及び図２中符号２３６は居住空間Ｓの天井をなす階下用又は階上用の内装材を示す。この天井用内装材２３６には、内装下地材、この表面に張られて居住空間Ｓに臨む石膏ボード、及び内装下地材の裏面に吸音層などを必要により設けても良い。
【００４４】
図１中階下用壁枠体２１８ａの上枠２２３上には、この上に階上用壁枠体２１８ｂを緊結するための頭つなぎ２２４が重ねて設けられている。頭つなぎ２２４上には、階上用壁枠体２１８ｂを支持するため上側の端根太２３８等が配置されている。本明細書で階上とは、２階や３階など１階より上層の階を指している。
図１及び図２中符号２２８は端根太２３８と同じ高さ寸法の階上用床根太を示している。
【００４５】
階上用壁枠体２１８ｂは、階下用壁枠体２１８ａの既述の設置と同様に、図示しないホールダウン金具などを用いて階上用の端根太２３８、並びに床根太２２８上に設置されている。この階上用壁枠体２１８ｂに対する壁体用及び天井用の各内装材、並びに階上側床体をなす面材例えば床耐力面材等の取付けは、階下用と同様であるので、同一部分には同一符号を付して説明を省略する。但し、階上の天井用内装材２３６には消音層は含まないものが使用されている。
【００４６】
階上用床耐力面材２２７の壁体２０４側部分は、階上用壁枠体２１８ｂの下枠２２２の下面を覆うように延長されていて、この延長部分２２７ａ（図２参照）は、階上用壁枠体２１８ｂの下枠２２２と端根太２３８及び床根太２２８との間に挟まれている。
【００４７】
図１及び図３に示すように階上用壁枠体２１８ｂの上枠２２３には、この上に屋根を支持するための転び止めや天井根太等を緊結するための頭つなぎ２２４が重ねて設けられている。
【００４８】
以上のように上下に隣接した壁枠体２１８ａ、２１８ｂを備えた壁体２０４は、上下の壁体内空間２０４ａ、２０４ｂを有している。下側の壁体内空間２０４ａは壁枠体２１８ａとこれに装着された階下壁用内装材２２６及び壁枠体２１８ａを外側から覆った断熱材２０５とで区画され、同様に上側の壁体内空間２０４ｂは壁枠体２１８ｂとこれに装着された階上壁用内装材２２６及び壁枠体２１８ｂを外側から覆った断熱材２０５とで区画されている。
【００４９】
図１に示すように壁体２０４が備える壁枠体２１８ａ、２１８ｂは壁体内空間材として機能している。更に、これらの上枠２２３及び下枠２２２、頭つなぎ２２４、並びに階上用床耐力面材２２７の延長部分２２７ａは、いずれも壁体内通気路２０３を上下方向に区画する横架材として機能している。
【００５０】
上枠２２３及び下枠２２２には、その厚み方向に貫通して上下両端が開口された通気部としての通気孔２３３が、１以上、例えば複数、好ましくは図４に示すように隣接する前記図示しないたて枠とたて桟２２５との間及び隣接するたて桟２２５間に位置して夫々開けられている。これらの通気孔２３３の寸法、形状、相互間隔、位置等は、必要な構造強度を損なわない範囲で任意に設定できる。通気孔２３３は火災時にその一方側例えば下方から波及する火災が他方側例えば上方に伝わるのを出来得るかぎり遅延させる大きさおよび形状であるのが好ましい。本実施形態の枠組壁工法の場合では、横架材の幅方向中心に対して片寄らせた位置に直径１０mm〜５０mmの孔を、横架材の長手方向に５０mm〜２５０mm間隔で設けたものを例示できる。各横架材の通気孔２３３は壁体内空間２０４ａ又は２０４ｂに対する通気の出入り部分として機能する。但し、通気孔２３３が小さい（例えば直径１５mm以下）場合や、孔数が少ない（２５０mm間隔以上）場合には、小屋裏換気部に電動ファンを併用することが、非火災時や火災時を問わず好ましい。
【００５１】
図２に示すように頭つなぎ２２４にも、１以上、例えば複数好ましくは多数の通気孔２４３が開けられているとともに、延長部分２２７ａにも１以上、例えば複数好ましくは多数の通気孔２４４が開けられている。これらの通気孔２４３、２４４は、壁体内空間２０４ａ又は２０４ｂに対する通気の出入り部分として機能するものであって、いずれも、各通気孔２３３に直接対向して連通されるように各通気孔２３３と同じパターンで設けられている。
【００５２】
図４に示すように壁枠体２１８ａ、２１８ｂの図示しないたて枠やたて桟２２５など鉛直材にも、１以上、例えば複数の鉛直材通気孔２４５が開けられている。これら通気孔２４５も壁体内空間２０４ａ又は２０４ｂに対する通気の出入り部分として機能するが、これらは省略することも可能である。しかし、これらの通気孔２４５を設けることは、壁枠体２１８ａ、２１８ｂ内の各区画相互が横方向にも連通されるので、壁体２０４内に熱気や湿気がこもることを抑制できる点で好ましい。
【００５３】
図１に示すように床下空間２１２に臨んだ下側の壁枠体２１８ａの下枠２２２に開けられた各通気孔２３３により、壁体２０４の最も下側の壁体内空間２０４ａと１階の床下空間２１２とが連通されている。階上と階下との間の階上側床下空間２３４と、下側の壁体内空間２０４ａとは、下側の壁枠体２１８ａの上枠２２３に開けられた通気孔２３３及びこれに対向した頭つなぎ２２４の通気孔２４３を介して連通されている。
【００５４】
上側の壁体内空間２０４ａと階上側床下空間２３４とは、上側の壁枠体２１８ｂの下枠２２２に開けられた各通気孔２３３及びこれに対向した延長部分２２７ａに開けられた各通気孔２４４を介して連通されている。小屋裏空間２０７と壁体内空間２０４ｂとは、上側の壁枠体２１８ｂの上枠２２３に開けられた通気孔２３３及びこれに対向した頭つなぎ２２４の通気孔２４３を介して連通されている。
【００５５】
したがって、以上の各通気孔２３３、２４３、２４４及び壁体内通気路２０３を介して床下空間２１２と小屋裏空間２０７とが連通されている。このため、床下空間２１２と小屋裏空間２０７との温度差による空気密度差で生じる対流等により、床下空間２１２から壁体内通気路２０３をへて小屋裏空間２０７に至る壁体内通気が形成される。これにより、通常時には壁体２０４内の排熱・排湿ができるに伴い、居住者に与える住まい心地を向上させることができる。この場合、階上側床下空間２３４内の空気も、前記壁体内通気に取り込んで排出させることができる。又、火災時には、外部火災の影響を受けた熱気や、内部で発生する可能性のある有毒ガスや可燃性ガス等も壁体内通気によって排出させることもできる。
【００５６】
壁枠体２１８ａ、２１８ｂの夫々には、その通気孔２３３を塞ぐように防炎通気用の網状体２４２が取付けられている。網状体２４２は通気性及び耐火性を有する材料で作られている。規格工法で使用される壁枠体２１８ａ、２１８ｂを構成する上下両枠２２２、２２３等の構成材は、それ自体が壁体内区画材として機能して、夫々の端は他の隣接する構成材に対して隙間なく接続されているものである。このように壁枠体２１８ａ、２１８ｂにその通気孔２３３を塞いで網状体２４２を取付けた構成は、通気部を有した仕切り材を壁枠体２１８に後付けにより設ける場合に比較して、壁体内区画機能に優れているので、網状体２４２による非火災時の壁体内通気性能と、火炎が波及した際の火炎の伝播抑制機能とを、設計通りに発揮させ易い点で優れている。なお、前記後付けの仕切り材の場合には、壁枠体及び仕切り材の寸法精度や仕切り材加減などによって、仕切り材の端と壁枠体の構成材との間に管理不能な隙間ができる可能性があり、この隙間が通気や火炎の通路となる恐れがあるので、壁体２０４内での通気と防炎との機能を設計通りに発揮させるには難がある。
【００５７】
網状体２４２には、不燃材例えば金属具体的には鉄又はステンレス等で作られた金網を好適に使用でき、金網が耐食性材料ではない場合には、耐食加工が施された金網素材を使用することが望ましい。金網製の網状体２４２は、耐久性に優れているだけではなく、せっこうボードや木材等の建材に比べて、屈曲性および切断性に優れているので、壁体内通気路２０３に精度よく設けることが容易に可能であり、施工面等において好ましい。
【００５８】
この網状体２４２のメッシュ（目開き）の大きさは、0.5mm以上5.0mm未満であり、好ましくは0.5〜2.0mm、より好ましくは1.0〜2.0mmとするとよい。
【００５９】
メッシュの大きさが、0.5mm以上5.0mm未満であると、火炎の伝播抑制に対して実用上適当な通気抵抗を得られるが、湿気や熱気、有毒ガス、可燃性ガスは十分通過させることが可能である。これにより、火災初期時では壁体内温度上昇を壁体内通気による排気性能で抑制することができるとともに、火災進行時では火炎が網状体２４２の網目の抵抗を受けるため、壁体２０４内での火炎の伝播による延焼を抑制できる。なお、メッシュの大きさが0.5〜1.5mm、特に0.5〜1.0mmである場合には、非火災時の通気や火災時の温度抑制、排気効果を高めるには、小屋裏換気部として電動ファンを使用することが好ましい。しかし、自然通気でも湿気や熱気の排出効果は十分維持できるのでこれには制約されない。
【００６０】
メッシュの大きさを、0.5mm未満とすると、非火災時における壁体内通気に対しても網状体２４２での圧損抵抗が無視できない程度になる。このため、非火災時の通気抵抗が増えて、所定の壁体内通気性能を得ることが困難となるので妥当ではない。
【００６１】
前記メッシュを例えば5.0mmを超える大きさとすることは、非火災時における良好な通気を確保できるが、火災時における網状体２４２を挟む両側の領域の圧力差に対する有効な抵抗とはなり得ない。これにより、網状体２４２に波及した初期の火炎の伝播を網状体２４２で有効に抑制することが難しくなる点で好ましくない。
【００６２】
更に、前記メッシュを1.0〜2.0mmとすることは、初期の火炎によって生じる煤が網目に特に付着し易くなり、非火災時に比較して網目の実質的な通気性が一層小さいものにできる。このため、火炎の伝播に対する更なる抵抗を得られる点で優れているとともに、蟻や蚊等の防虫性能を期待できる点でも望ましい。
【００６３】
網状体２４２は、通気孔２３３より大きい形状、つまり、本実施形態では、上枠２２３又は下枠２２２の下面形状と略同じ形状をなしている。この網状体２４２は通気孔２３３の出入り口を塞ぐように設けられている。すなわち、上枠２２３に対しては、その上面に網状体２４２を重ねることによって、上枠２２３に開けられた各通気孔２３３の上端開口を覆って網状体２４２が固定されている。この場合、網状体２４２は上枠２２３とこれに重ね付けられた頭つなぎ２２４との間に挟まれて設けられている。
【００６４】
詳しくは、下側の壁体内空間２０４ａと階上側床下空間２３４との通気を可能とする通気経路を共有する下側の壁枠体２１８ａの上枠２２３とこれに重ね付けられた頭つなぎ２２４との間に、網状体２４２が挟着されている。同様に、上側の壁体内空間２０４ｂと小屋裏空間２０７との通気を可能とする通気経路を共有する上側の壁枠体２１８ｂの上枠２２３とこれに重ね付けられた頭つなぎ２２４との間にも、網状体２４２が挟着されている。このように頭つなぎ２２４を利用して上枠２２３との間に網状体２４２を挟着する構成は、網状体２４２を取付けるための専用の固定部品を格別要することがないとともに、火災や地震などに拘らず、所定の取付け位置に網状体２４２を保持できる点で優れている。
【００６５】
こうして壁枠体２１８ａ、２１８ｂに取付けられた網状体２４２は、それより下側に隣接した通気孔２３３の上端開口を閉じるとともに、上側に隣接した通気孔２４３の下端開口、つまり、通気孔２４３に対する上向き火炎の流入側開口を閉じて設けられる。壁枠体２１８ａ、２１８ｂの下枠２２２に対しては、下枠２２２の各通気孔２３３の下端開口（つまり、通気孔２３３に対する上向き火炎の流入側開口）を塞ぐように、網状体２４２が下枠２２２の下面に重ね付けられている。
【００６６】
下枠２２２に対する網状体２４２の取付けは、釘打ち、耐熱性接着剤による接着、若しくはこれらの併用により実施できる。下側の壁枠体２１８ａの下枠２２２に取付けられた網状体２４２は床下空間２１２に臨んでいる。なお、壁枠体２１８ａの下枠２２２に対する網状体２４２は省略できる。又、上側の壁枠体２１８ｂの下枠２２２にはその下側から階上用の床耐力面材２２７の延長部分２２７ａが重ねられているので、結果的に、この延長部分２２７ａと壁枠体２１８ｂの下枠２２２との間に網状体２４２が挟着されている。
【００６７】
以上のように複数の通気孔２３３を共に塞ぐように１枚の網状体２４２が取付けられた構成は、網状体２４２の取付け工数が少なく生産性が良い点で好ましい。しかし、本発明において網状体２４２は、一つ又は隣接する数個の通気孔２３３を覆い隠す大きさとして、それを複数枚用いて横架材の各通気孔２３３を塞ぐようにしても良い。
【００６８】
更に、図４に示すように壁枠体２１８ａ、２１８ｂの図示しないたて枠やたて桟２２５など鉛直材の夫々にも、その鉛直材通気孔２４５を塞ぐように網状体２４２が、釘打ちや接着等により取付けられている。網状体２４２は、壁枠体２１８ａ又は２１８ｂの内側に臨んだ前記図示しないたて枠の側面を覆って取付けられているとともに、たて桟２２５に対してはその一側面を覆って取付けられている。たて桟２２５への網状体２４２の取付けは省略してもよい。
【００６９】
なお、網状体２４２は、壁枠体２１８ａ、２１８ｂに対してこれらの内側（たて桟２２５が配設される枠体内空間）に臨ませて設けてもよい。その際、たて桟２２５にも網状体２４２を設ける場合には、この設置と一緒に上下両枠２２２、２２３の内側面に網状体２４２を取付けることができ、こうして壁枠体２１８ａ、２１８ｂに対する網状体２４２の設置を一度に済ませることができる。
【００７０】
本実施形態では、図５（Ａ）又は図５（Ｂ）或いは図５（Ｃ）に示す枠材例えば上下両枠２２２、２２３も用いることができる。図５（Ａ）の上下両枠２２２、２２３では、その一側部に上下両面に夫々開放する複数の通気溝（通気部）２３３ａが、長手方向に間隔的に設けられている。図５（Ｂ）の上下両枠２２２、２２３では、その一側部に上下両面に夫々開放するとともに上下両枠２２２、２２３の長手方向に延びる例えば長円状の複数の通気孔（通気部）２３３が、長手方向に間隔的に設けられている。図５（Ｃ）の上下両枠２２２、２２３では、その一側部に上下両面に夫々開放する複数の通気溝（通気部）２３３ａが長手方向に間隔的に設けられ、かつ、他側部にも上下両面に夫々開放する複数の通気溝（通気部）２３３ａが長手方向に間隔的に設けられている。これらの通気部は、上下両枠２２２、２２３の少なくとも一面に固定される通気防炎網状体２４２で塞がれる。
【００７１】
更に、本実施形態では、既述のように耐火発泡剤又は耐火性発泡塗料等を用いることなく有効な通気と遮炎を両立することができる建物の壁体、及び建物、並びに防火方法の提供が可能である。既存の耐火発泡剤又は耐火性発泡塗料には、吸湿性の高いポリウレタン樹脂等が用いられることが多い。このため、前記発泡要素を用いる場合には、吸湿を原因とする経年変化により、耐火発泡剤又は耐火性発泡塗料の性能が劣化する可能性があって、火災時において確実な発泡膨張を得られないおそれがあるとともに、ポリウレタン樹脂等はコスト高でもある。これに対して、本実施形態は耐火発泡剤又は耐火性発泡塗料等を用いないので、安価かつ容易に施工できるとともに、長期間にわたる網状体２４２の通気防炎作用を確実に維持可能であるので、火炎が波及した初期を含めて火のまわりを抑制する信頼性が高い点で優れている。
【００７２】
次に、第２から第５の実施形態の説明をする。これらの実施形態は基本的には第１実施形態と同じ構成であるので、同じ構成には第１実施形態と同じ符号を付して、その構成および作用の説明を省略し、異なる部分について説明する。
【００７３】
図６に示す本発明の第２実施形態では、上側の壁枠体２１８ｂの上枠２２３と頭つなぎ２２４とにわたる通気経路を設けることに代えて、壁枠体２０８ｂと断熱材２０５との間の隙間からなる壁体内空間２０４ｃと小屋裏空間２０７との通気部を、頭つなぎ２２４の上面に下端を接して屋根側に設けた転び止め２５１に設けている。つまり、転び止め２５１は、その下端部に厚み方向に貫通する複数の通気部２５２（一つのみ図示）を所定間隔ごとに有している。これらの通気部２５２の開放された下端は頭つなぎ２２４の上面で閉じられている。各通気部２５２は、壁枠体２１８ｂと断熱材２０５との間の隙間からなる壁体内空間２０４ｃに連通されている。各通気部２５２の開口を塞ぐように網状体２５３が、転び止め２５１の少なくとも一方の側面に取付けられている。この網状体２５３は、第１実施形態の網状体２４２と同様のものである。以上説明した事項以外の構成は、図６に図示されない構成を含めて第１実施形態と同じである。
【００７４】
この第２実施形態でも、通気部２５２内に網状体２５３を設けたことにより、第１実施形態と同様に、小屋裏空間２０７と壁体内空間２０４ｃとの間にわたる火炎の伝播を、通気部２５２を塞ぐ網状体２５３によって、抑制しつつ、有毒ガスや可燃性ガス等を排出できる。
【００７５】
図７に示す本発明の第３実施形態では、壁体２０４に、その壁体内空間（２０４ａ、２０４ｂの少なくとも一方）を上下方向に区画してファイアストップ材として機能するとともに、内装材２２６を支持する第１、第２の横架材２６１、２６２を接近させて設けている。横架材２６１、２６２は木材製又はスチール製等であって、第１の横架材２６１の一側部、及び第２の横架材２６２の他側部には、これら横架材２６１、２６２を厚み方向に貫通する複数の通気溝（通気部）２６３が、長手方向に所定間隔ごとに設けられている。なお、通気溝２６３は各横架材について一つのみ図示する。
【００７６】
一方の横架材例えば相対的に上位置である横架材２６１に設けられた通気溝２６３の開放端は内装材２２６で閉じられ、他方の横架材２６２に設けられた通気溝２６３の開放端は断熱材２０５又は面材２３９で閉じられている。これらの上下通気溝２６３と、一対の横架材２６１、２６２間の狭い空隙からなる通気部２６５が形成されている。つまり、壁体空間内には屈曲された通気部２６５が形成されている。そして、横架材２６１、２６２の内の一方には、その通気部２６５を塞ぐように網状体２６４が取付けられている。この網状体２６４は、第１実施形態の網状体２４２と同様のものであって、例えば屈曲された通気部２６５を塞ぐために、この通気部２６５に対応して折り曲げられている。なお、以上の構成は、壁枠体２１８ａ、２１８ｂの上下両枠部での通気経路に代えて、或いは、これらの通気経路と併用して設けることができる。以上説明した事項以外の構成は、図７に図示されない構成を含めて第１実施形態と同じである。
【００７７】
この第３実施形態でも、通気部２６５を塞ぐように網状体２６４を設けたことにより、この網状体２６４によって、第１実施形態と同様に、火炎の伝播を抑制しつつ、有毒ガスや可燃性ガスを排出できる。かつ、一対の横架材２６１、２６２が壁体空間内に屈曲された通気部２６５を形成していることから、更に火炎の伝播を抑制し易い。なお、第３実施形態では、通気溝２６３の向きを逆向きにして交互に配置される横架材を３以上設けて、屈曲された通気部２６５の屈曲回数をより多くして実施することも可能であるとともに、この屈曲に応じて金網製の網状体２６４を容易に折り曲げて配置することが可能である。
【００７８】
図８、図９に示す第４、第５実施形態は、小屋裏換気部で換気される小屋裏空間と、床下換気部で換気される床下空間とを連通する壁体内通気路２０３を有する軸組構造の壁体２０４を備えるとともに、断熱材２０５の外側に通気層２０２を設けた建物２０１に、本発明を適用した例を示している。
【００７９】
この建物２０１は、胴差し又は梁２７１を２階又は３階の階上側床下空間２３４に臨んで壁体２０４に設けている。胴差し又は梁２７１は、木材等で作られていて壁体内横架材として機能している。階上側床体をなす床耐力面材２２７は、間隔的に配置された階上用木製床根太２７２上に取付けられている。各床根太２７２の端部は胴差し又は梁２７１上に連結されている。それにより、上下に対向する床耐力面材２２７及び胴差し又は梁２７１と、これらの間に挟まれた各床根太２７２の端部との間に通気部２７３が形成されている。通気部２７３の通気方向一端は胴差し又は梁２７１より上側の壁体内空間２０４ｂに連通され、通気方向他端は階上側の床下空間２３４に連通されている。
【００８０】
通気部２７３には、その例えば壁体内空間２０４ｂ側一端を塞ぐように網状体２７４が設置されている。詳しくは、網状体２７４は第１実施形態の網状体２４２と同様のものであって、この網状体２７４の折り曲げられた上部は、各床根太２７２の端部と床耐力面材２２７との間に挟まれ、前記上部とは反対向きに折り曲げられた網状体２７４の下部は胴差し又は梁２７１の上面に重ねられている。
網状体２７４の上部と下部は必要に応じて釘打ち等により固定される。この網状体２７４の取付けによって、その上部と下部との間の中間部分が、通気部２７３の壁体内空間２０４ｂ側一端を塞いでいる。
【００８１】
更に、図８に示す第４実施形態では、胴差し又は梁２７１の階下側と内装材２２６と天井用内装材２３６の目地止め材２７５間に狭い空隙からなる通気部２７７が設けられ、この通気部２７７を通して壁体内空間２０４ａと階上側床下空間２３４とが連通されている。目地止め材２７５は木材製又はスチール製等であって、内装材２２６と天井用内装材２３６の継ぎ目部分からの火災時の火炎の伝播を抑制する。この通気部２７７を塞ぐように網状体２７８が、胴差し又は梁２７１と目地止め材２７５とにわたって取付けられている。又、壁体２０４に設けられている図示しない横架材には、壁体内通気を可能とするための通気部が設けられているとともに、これらの通気部に対しても夫々網状体が設けられている。なお、以上説明した事項以外の構成は、図８に図示されない構成を含めて第１実施形態と同じである。
【００８２】
この第４実施形態でも、通気部２７７を塞ぐように網状体２７８を設けたことにより、第１実施形態と同様に、床下空間２３４と壁体内空間２０４ｂとの間にわたる火炎の伝播を、通気部２７７を塞ぐ網状体２７８に火炎が波及した時点から抑制することが可能である。
【００８３】
更に、図９に示す第５実施形態では、胴差し又は梁２７１の階下側まで階下用の内装材２２６が張り上げられていて、この内装材２２６に、その厚み方向に貫通して左右両端が開口された通気部としての通気孔２８１が、１以上、例えば複数開けられている。これらの通気孔２８１の寸法、形状、相互間隔、位置等は、必要な構造強度を損なわない範囲で任意に設定できる。また、火災時にその通気孔２８１の壁体内空間２０４ａ側下方で発生する火災が上方に伝わるのを出来得るかぎり遅延させる大きさおよび形状であるのが好ましく、本実施形態の場合では、直径１０mm〜５０mmの孔を、階下側の内装材２２６に５０mm〜２５０mm間隔で設けたものを例示できる。各通気孔２８１は壁体内空間２０４ａと床下空間２３４とにわたる通気の出入り部分として機能する。階下側の内装材２２６の少なくとも一方の面には、通気孔２８１を塞ぐように網状体２８２が取付けられている。網状体２８２は第１実施形態の網状体２４２と同様のものである。又、階上側の内装材２２６にも、壁体内通気を可能とするために壁体内空間２０４ｂと小屋裏空間とを連通する通気孔（図示しない）が複数設けられているとともに、これらの通気孔に対しても夫々網状体が設けられている。なお、以上説明した事項以外の構成は、図９に図示されない構成を含めて第１実施形態と同じである。
【００８４】
この第５実施形態でも、通気孔２８１を塞ぐように網状体２８２を設けたことにより、第１実施形態と同様に、床下空間２３４と壁体内空間２０４ｂとの間にわたる火炎の伝播を、通気孔２８１を塞ぐ網状体２８２に火炎が波及した時点から抑制することが可能である。
【００８５】
以下、本発明の第６実施形態から第１０実施形態を説明する。これらの実施形態では、壁体内通路での、非火災時の通気の確保と、火災時の火炎の伝播抑制とを両立させる信頼性をより高めるために、網状体と耐火性の発泡剤を併用している。以下、詳しく説明する。
【００８６】
図１０〜図１４を参照して本発明の第６実施形態を説明する。
【００８７】
図１０中符号１で示す建造物例えば建物は、外断熱を施した木造住宅であるとともに、外側通気空間としての外側通気層２と、内側通気空間（又は内側通気層とも称する。）としての壁体内通気路３とを備えている。
【００８８】
外断熱を施すとともに外側通気層２を設けるために、建物１の躯体をなす壁体４の外側に断熱材５（第１の外壁）が外張りされているとともに、更に、この断熱材５の外面との間に所定の隙間を設けて外装材６（第２の外壁）が外張りされている。断熱材５がその少なくとも屋内側面に配置される面材などを有することは妨げない。この断熱材５と外装材６との間には上下方向に延びる図示しない胴縁が挟まれていて、これらの部材によって壁体４の外側に外側通気層２を形成する前記隙間が確保されている。
【００８９】
外側通気層２の下端は雨仕舞のための水切りまわりで大気中に連通されている。建物１の小屋裏空間７も外断熱を施されている。そのために、図１に示すように外装材をなす屋根材８の裏側に小屋裏断熱材９が配設され、これらの間に屋根部外側通気層１０が形成されている。小屋裏断熱材９と断熱材５とは連続している。外側通気層１０の下側に外側通気層２の上端が連通されているとともに、外側通気層１０の上部は屋根部に設けた図示しない排気口に連通されている。外側通気層２は軒下で止まっていて外側通気層１０とは連通していなくてもよい。
【００９０】
建物１の上部には、例えば小屋裏空間７と屋外との連通を任意に開閉できる１以上の小屋裏換気部として小屋裏ダンパー１１が取付けられている。このダンパー１１は、手動又は電動により開閉できるものであって、ドレーキップ窓や天窓等の開口部開閉用の通常の建具を包含し、又、電動ファンを備える換気扇も包含する。
【００９１】
図１０中符号１２は建物１の基礎コンクリート１３によって区画された床下空間を示している。基礎コンクリート１３は所定箇所に１以上の換気口１４を有している。基礎コンクリート１３には、床下換気部として例えば換気口１４を手動又は電動により任意に開閉できる床下ダンパー１５が取付けられている。
【００９２】
内外両面の内の少なくとも一方に断熱層１３ａが施された基礎コンクリート１３上には土台１６が固定されている。この土台１６上には壁体内通気路３を有する枠組構造の壁体４が設けられている。図１０及び図１１に示す２階建て以上の建物１の壁体４は、階下側壁枠体１７ａと階上側壁枠体１７ｂと、端根太３５、頭つなぎ２２、３７、及び通気防炎網状体（以下網状体と略称する。）２３、並びに耐火性の発泡剤２４などを備えている。網状体２３及び発泡剤２４以外の各壁体構成部材はいずれも木材である。
【００９３】
壁枠体１７ａ、１７ｂは、図１３に例示するように上枠２５、下枠２６の両端を縦枠２７で連結するとともに、内側に適当本数の例えばたて桟２８を上下両枠２５、２６等に渡って架設した構成を基本形としている。階下側壁枠体１７ａは、土台１６上に下側の端根太２１を介して配置されているとともに、縦枠２７と基礎コンクリート１３とを直接的に緊結する図示しないホールダウン金物を介して固定されている。
【００９４】
壁枠体１７ａには居住空間（居室）に臨む石膏ボードなどからなる壁用内装材３１が張り付けられている。内装材３１の下端には階下用床体を構成する面材例えば耐力面材３２が連結され、この耐力面材３２は床根太３３上に支持されている。耐力面材３２の下面は床下空間１２に臨んでいる。図１０及び図１１中符号３８は居住空間の天井をなす石膏ボードなどの天井用内装材で、鉛直面材としての内装材３１の上部にほぼ直角に連なって配設されている。
【００９５】
図１１に示すように階下側壁枠体１７ａの上枠２５上には、この上に階上側壁枠体１７ｂを緊結するための頭つなぎ２２が重ねて設けられている。頭つなぎ２２上には、階上側壁枠体１７ｂを支持するため上側の端根太３５等が配置されている。本明細書で階上とは、２階や３階など１階より上層の階を指している。図１０及び図１１中符号４０は端根太３５と同じ高さ寸法の階上用床根太を示している。
【００９６】
階上側壁枠体１７ｂは、階下側壁枠体１７ａの既述の設置と同様に、図示しないホールダウン金具などを用いて階上用の端根太３５、並びに床根太４０上に設置されている。この階上側壁枠体１７ｂに対する壁体用及び天井用の各内装材、並びに階上側床体をなす面材例えば耐力面材等の取付けは、階下用と同様であるので、同一部分には同一符号を付して説明を省略する。但し、階上の天井用内装材３８には消音層は含まないものが使用されている。
【００９７】
階上用耐力面材３２の壁体４側部分は、階上側壁枠体１７ｂの下枠２６の下面を覆うように延長されていて、この延長部分３２ａ（図１１参照）は、階上側壁枠体１７ｂの下枠２６と端根太３５及び床根太４０との間に挟まれている。
【００９８】
図１０及び図１２に示すように階上側壁枠体１７ｂの上枠２５には、この上に屋根を支持するための転び止めや天井根太等を緊結するための頭つなぎ３７が重ねて設けられている。以上のように上下に隣接した壁枠体１７ａ、１７ｂを備えた壁体４は、上下の壁体内空間４ａ、４ｂを有している。下側の壁体内空間４ｂは壁枠体１７ａとこれに装着された階下壁用内装材３１及び壁枠体１７ａを外側から覆った断熱材５とで区画され、同様に上側の壁体内空間４ａは壁枠体１７ｂとこれに装着された階上壁用内装材３１及び壁枠体１７ｂを外側から覆った断熱材５とで区画されている。
【００９９】
壁体４が備える壁枠体１７ａ、１７ｂは壁体内区画材として機能し、その中でも上枠２５及び下枠２６、頭つなぎ２２及び３７、並びに階上用耐力面材３２の延長部分３２ａは、いずれも壁体内通気路３を上下方向に区画する横架材として機能している。
【０１００】
上枠２５及び下枠２６には、その厚み方向に貫通して上下両端が開口された通気部としての通気孔４１が、１以上、例えば複数、好ましくは図１３に示すように隣接する縦枠２７とたて桟２８との間及び隣接するたて桟２８間に位置して夫々開けられている。これらの通気孔４１の寸法、形状、相互間隔、位置等は、必要な構造強度を損なわない範囲で任意に設定できる。ツーバイフォー工法が採用される本実施形態の場合では、横架材の幅方向中心に対して片寄らせた位置に直径１０mm〜５０mmの孔を、横架材の長手方向に５０mm〜２５０mm間隔で設けたものを例示できる。各横架材通気孔４１は壁体内空間４ａ又は４ｂに対する通気の出入り部分として機能する。
【０１０１】
図１０〜図１３に示すように頭つなぎ２２、３７にも、１以上、例えば複数好ましくは多数の通気孔４２又は４３（図１０〜図１２では一つのみ代表して示す。）が開けられているとともに、延長部分３２ａにも１以上、例えば複数好ましくは多数の通気孔４４（図１１では一つのみ代表して示す。）が開けられている。これらの通気孔４２〜４４は、壁体内空間４ａ又は４ｂに対する通気の出入り部分として機能するものであって、いずれも、各通気孔４１に直接対向して連通されるように各通気孔４１と同じパターンで設けられている。
【０１０２】
図１３に例示するように壁枠体１７ａ、１７ｂの縦枠２７やたて桟２８など鉛直材にも、１以上、例えば複数の鉛直材通気孔４５が開けられている。これら通気孔４４も壁体内空間４ａ又は４ｂに対する通気の出入り部分として機能するが、これらは省略することも可能である。しかし、これらの通気孔４５を設けることは、壁枠体１７ａ、１７ｂの各区画相互が横方向にも連通されるので、壁体４内に熱気や湿気がこもることを抑制できる点で好ましい。
【０１０３】
床下空間１２に臨んだ下側の壁枠体１７ａの下枠２６に開けられた各通気孔４１により、壁体４の最も下側の壁体内空間４ｂと１階の床下空間１２とが連通されている。階上と階下との間の階上側床下空間４８と、下側の壁体内空間４ｂとは、下側の壁枠体１７ａの上枠２５に開けられた通気孔４１及びこれに対向した頭つなぎ２２の通気孔４２を介して連通されている。上側の壁体内空間４ａと階上側床下空間４８とは、上側の壁枠体１７ｂの下枠２６に開けられた各通気孔４１及びこれに対向した延長部分３２ａに開けられた各通気孔４４を介して連通されている。小屋裏空間７と壁体内空間４ａとは、上側の壁枠体１７ｂの上枠２５に開けられた通気孔４１及びこれに対向した頭つなぎ３７の通気孔４３を介して連通されている。
【０１０４】
したがって、以上の各通気孔４１〜４４及び壁体内通気路３を介して床下空間１２と小屋裏空間７とが連通されている。このため、床下空間１２と小屋裏空間７との温度差による空気密度差で生じる対流によって形成される、床下空間１２から壁体内通気路３をへて小屋裏空間７に至る壁体内通気により、壁体４内の排熱・排湿ができる。これにより、居住者に与える住まい心地を向上させることができる。この場合、階上側床下空間４８内の空気も、前記壁体内通気に取り込んで排出させることができる。
【０１０５】
壁枠体１７ａ、１７ｂの夫々には、その通気孔４１、４５を塞ぐように網状体２３が取付けられている。網状体２３は通気性及び耐火性を有する材料で作られている。この網状体２３には、熱伝導性が合成樹脂等より優れるとともに不燃材例えば金属具体的には耐食加工が施された鉄又は耐食性のステンレス等で作られた金網を好適に使用できる。この網状体２３のメッシュの大きさは、0.5mm〜5.0mmであり、好ましくは（1.0〜2.0）mmとするとよい。メッシュの大きさを、0.5mm未満とすることは通気性が阻害され易くなり、又、5.0mmを超える大きさとすることは、火炎を遮る機能が低下するので好ましくない。更に、前記メッシュを1.0〜2.0mmとすることは、初期の火炎によって生じる煤が網目に付着し易くなり、非火災時に比較して網目の実質的な通気性が一層小さいものにできる。このため、火炎の伝播に対する更なる抵抗を得られる点で優れているとともに、蟻や蚊等の防虫性能を期待できる点でも望ましい。
【０１０６】
網状体２３は、通気孔４１、４５より大きい形状、つまり、本実施形態では、上枠２５又は下枠２６の下面形状と略同じ形状をなしている。この網状体２３は通気孔４１、４５の出入り口を塞ぐように設けられている。
【０１０７】
すなわち、上枠２５に対しては、その上面に網状体２３を重ねることによって、上枠２５に開けられた各通気孔４１の上端開口を覆って網状体２３が固定されている。この場合、網状体２３は上枠２５とこれに重ね付けられた頭つなぎ２２又は３７との間に挟まれて設けられている。詳しくは、下側の壁体内空間４ｂと階上側床下空間４８との通気を可能とする通気経路を共有する下側の壁枠体１７ａの上枠２５とこれに重ね付けられた頭つなぎ２２との間に、網状体２３が挟着されている。同様に、上側の壁体内空間４ａと小屋裏空間７との通気を可能とする通気経路を共有する上側の壁枠体１７ｂの上枠２５とこれに重ね付けられた頭つなぎ３７との間にも、網状体２３が挟着されている。
【０１０８】
このように頭つなぎ２２又は３７を利用して上枠２５との間に網状体２３を挟着する構成は、網状体２３を取付けるための専用の固定部品を格別要することがないとともに、火災や地震などに拘らず、所定の取付け位置に網状体２３を保持できる点で優れている。こうして壁枠体１７ａ、１７ｂに取付けられた網状体２３は、それより下側に隣接した通気孔４１の上端開口を閉じるとともに、上側に隣接した通気孔４２又は４３の下端開口、つまり、通気孔４２又は４３に対する上向き火炎の流入側開口を閉じて設けられている。
【０１０９】
壁枠体１７ａ、１７ｂの下枠２６に対しては、下枠２６の各通気孔４１の下端開口（つまり、通気孔４１に対する上向き火炎の流入側開口）を塞ぐように、網状体２３が下枠２６の下面に重ね付けられている。下枠２６に対する網状体２３の取付けは、釘打ち、耐熱性接着剤による接着、若しくはこれらの併用により実施できる。下側の壁枠体１７ａの下枠２６に取付けられた網状体２３は床下空間１２に臨んでいる。なお、壁枠体１７ａの下枠２６に対する網状体２３は省略できる。又、上側の壁枠体１７ｂの下枠２６にはその下側から階上用の耐力面材３２の延長部分３２ａが重ねられているので、この延長部分３２ａと壁枠体１７ｂの下枠２６との間に網状体２３が挟着されている。
【０１１０】
以上のように複数の通気孔４１を共に塞ぐように１枚の網状体２３が取付けられた構成は、網状体２３の取付け工数が少なく生産性が良い点で好ましい。しかし、本発明において網状体２３は、一つ又は隣接する数個の通気孔４１を覆い隠す大きさとして、それを複数枚用いて横架材の各通気孔４１を塞ぐようにしても良い。
【０１１１】
更に、図１３に示すように壁枠体１７ａ、１７ｂの縦枠２７やたて桟２８など鉛直材の夫々にも、その鉛直材通気孔４５を塞ぐように網状体２３が、釘打ちや接着等により取付けられている。網状体２３は、壁枠体１７ａ又は１７ｂの内側に臨んだ縦枠２７の側面を覆って取付けられているとともに、たて桟２８に対してはその一側面を覆って取付けられている。たて桟２８への網状体２３の取付けは省略してもよい。
【０１１２】
なお、網状体２３は、壁枠体１７ａ、１７ｂに対してこれらの内側（たて桟２８が配設される壁枠体内空間）に臨ませて設けてもよい。その際、たて桟２８にも網状体２３を設ける場合には、この設置と一緒に上下両枠２５、２６の内側面に網状体２３を取付けることができ、こうして壁枠体１７ａ、１７ｂに対する網状体２３の設置を一度に済ますことができる。
【０１１３】
発泡剤２４は、例えば各通気孔４１〜４５の径より小さくかつ網状体２３のメッシュより大きな粒状に形成されていて、壁体内区画材をなす木材の耐熱温度以下の所定温度で高倍率発泡（例えば１０〜３０倍発泡）する性能を有している。
前記発泡を開始する温度は、例えば６０℃〜２５０℃好ましくは２００℃〜２５０℃であり、この温度を超える温度で発泡が完了するものである。さらに、この発泡剤２４は、粘ついているとともに押圧力によって容易に変形ができる性能を有していることが望ましい。
【０１１４】
この粒状の発泡剤２４は、階下側壁枠体１７ａの下枠２６の通気孔４１を除いた各通気孔４１〜４５に臨んで夫々設けられている。具体的には、下側の壁枠体１７ａ側については、図１１及び図１４（Ａ）で示すように頭つなぎ２２の通気部である通気孔４２とこの孔４２の下端開口を仕切っている網状体２３で形成される空間、より具体的には通気孔４２内に粒状の発泡剤２４が収容されている。
この発泡剤２４は網状体２３上に接して支持されている。これにより、壁枠体１７ａの上枠２５の通気孔４１とこれに連通した頭つなぎ２２の通気孔４２とがなす通気経路中に粒状の発泡剤２４が配置され、この発泡剤２４は壁枠体１７ａが有した上枠２５の通気孔４１の上端開口に近接し対向している。
【０１１５】
階上側壁枠体１７ｂ側については、図１２及び図１４（Ａ）で示すように頭つなぎ３７の通気部である通気孔４３とこの孔４３の下端開口を仕切っている網状体２３で形成される空間、より具体的には通気孔４３内に、粒状の発泡剤２４が収容されている。この発泡剤２４は網状体２３上に接して支持されている。これにより、壁枠体１７ｂの上枠２５の通気孔４１とこれに連通した頭つなぎ３７の通気孔４３とがなす通気経路中に粒状の発泡剤２４が配置され、この発泡剤２４は壁枠体１７ｂの上枠２５の通気孔４１の上端開口に近接し対向している。
【０１１６】
同様に、図１１及び図１４（Ｂ）で示すように階上側壁枠体１７ｂの下枠２６に通気部として形成された通気孔４１とこの孔４１の下端開口を塞いでいる網状体２３で形成される空間、より具体的には通気孔４１内に、粒状の発泡剤２４が収容されている。この発泡剤２４は網状体２３上に接して支持されている。これにより、壁枠体１７ｂの下枠２６の通気孔４１とこれに連通した延長部分３２ａの通気孔４４とがなす通気経路中に粒状の発泡剤２４が配置され、この発泡剤２４は耐力面材３２の通気孔４４の上端開口に近接し対向している。
【０１１７】
又、上下の壁枠体１７ａ、１７ｂの鉛直材については、図１４（Ｃ）のたて桟２８で代表して示すように、その通気孔４５を塞いでいる鉛直状態の網状体２３に、粒状の発泡剤２４を食い込ませて取付けている。既述のように粒状の発泡剤２４が押圧することにより自在に変形ができるとともに、粘ついているものである場合には、この発泡剤２４を網状体２３のメッシュに押し込むことによって、鉛直状態の網状体２３に接して保持させることが可能である。したがって、発泡剤２４はその一部を通気孔４５内に入り込ませた状態で鉛直状態の網状体２３に取付けられている。
【０１１８】
以上のように網状体２３及び発泡剤２４が取付けられた壁体４の壁枠体１７ａ、１７ｂは、工場で加工して、建築現場に搬入すると良い。こうすることで、建築現場で網状体２３及び発泡剤２４を壁枠体１７ａ、１７ｂに設ける手間が不要となるので、建物１を構築する上での作業効率を向上できる。又、鉛直材以外の壁体内区画材に対する発泡剤２４の設置は、通気孔内の粒状の発泡剤２４を落とし込む（この後に必要に応じて押圧してもよい。）ことで可能であるので、作業性がよい。
【０１１９】
図１１中符号５１、５２は、隣接する居住空間Ｓを仕切る階下及び階上の内装材を示している。この仕切り用内装材５１、５２には間仕切り壁や界壁が含まれる。階下の内装材５１間の壁間空間５１ａは床下空間１２に連通されている。階下の内装材５１の上端部間には、横架材としての木製上枠５３とこの上に重ねられた木製頭つなぎ５４とが網状体２３を挟んで取付けられている。階上の内装材５２間の壁間空間５２ａは小屋裏空間７に連通されている。上枠５３及び頭つなぎ５４はいずれも網状体２３で塞がれる通気孔（図示しない）を有し、この孔内には網状体２３に接して粒状の発泡剤が収容されている。階上の内装材５２の下端部間には、横架材としての木製下枠５５が取付けられているとともに、この下枠５５の下面には階上側の耐力面材３２の一部３２ｂが重ねられている。この一部３２ｂ及び下枠５５間はいずれも網状体２３で塞がれる通気孔（図示しない）を有し、この孔内には網状体２３に接して粒状の発泡剤が収容されている。
【０１２０】
階上側の耐力面材３２と頭つなぎ５４との間には複数の転び止め５６（一つのみ図示するとともに、端根太や側根太の場合もある。）が挟まれている。階上の床下空間区画材としての各転び止め５６には複数の横方向の通気孔５７（一つのみ図示）が夫々開けられている。各通気孔５７によって各転び止め５６間の空間同士が連通され、結果的に各通気孔５７を通して階上側床下空間４８と壁体内空間４ａ、４ｂとが通気されるので、階上側床下空間４８に熱気や湿気がこもることを防止できる。
【０１２１】
各転び止め５６の両側面の夫々には通気孔５７の両端開口を塞いで金網等からなる網状体５８が取付けられているとともに、各通気孔５７の夫々には粒状の発泡剤５９が収容されている。これら網状体５８及び発泡剤５９には、前記網状体２３及び発泡剤２４と同種のものが使用されている。
【０１２２】
前記建物の壁体内通気路３を有する壁体４に火災による火炎が波及した場合、その火炎や熱風は壁体内通気路３を上方又は下方等に通過しようとする。
【０１２３】
すなわち、１階の居住空間から壁体４の下部に火災が波及した場合に、下側の壁体内空間４ｂ内から階上側床下空間４８に向けて、互いに連通している通気孔４１、４２がなす上下方向に延びる通気経路を通ろうとする火炎は、この通気経路の中間部を仕切っている網状体２３に邪魔されて、上方への通過を遮られる。
網状体２３での遮炎機能は、この網状体２３に火災が及んだ初期から発揮される。このような遮炎状態下で、前記通気経路中に配置されている未発泡の発泡剤２４が、前記通気経路を通る熱気等によって所定温度に達して発泡膨張するので、発泡済みの発泡剤２４により前記通気経路を実質的に閉塞することが可能である。
【０１２４】
１階の居住空間Ｓでの火災に伴い、階上側床下空間４８を通って壁体４の上部に火災が波及した場合、及び階上側床下空間４８を通って壁体４の下部に火災が波及した場合にも同様である。
【０１２５】
つまり、階上側床下空間４８から上側の壁体内空間４ａに向けて、互いに連通している通気孔４４、４１がなす上下方向に延びる通気経路を通ろうとする火炎は、この通気経路の中間部を仕切っている網状体２３によって上方への通過を遮られる。この状態下で、通気孔４４、４１とがなす通気経路中に配置されている未発泡の発泡剤２４が、通気孔４４、４１がなす通気経路を通る熱気等によって所定温度に達して発泡膨張するので、発泡済みの発泡剤２４により通気孔４４、４１がなす通気経路を実質的に閉塞することが可能である。
【０１２６】
階上側床下空間４８を通って壁体４の下部に火災が波及した場合に、階上側床下空間４８から下側の壁体内空間４ｂに向けて、通気孔４１、４２がなす通気経路を通ろうとする火炎は、この通気経路の中間部を仕切っている網状体２３によって下方への通過を遮られる。この状態下で、通気孔４１、４２とがなす通気経路中に配置されている未発泡の発泡剤２４が、通気孔４１、４２がなす通気経路を通る熱気等によって所定温度に達して発泡膨張するので、発泡済みの発泡剤２４により通気孔４１、４２とがなす通気経路を実質的に閉塞することが可能である。
【０１２７】
又、階上の居住空間Ｓから壁体４の上部に火災が波及した場合に、上側の壁体内空間４ａ内から小屋裏空間７に向けて、又は小屋裏空間７から壁体内空間４ａに向けて、連通している通気孔４１、４３がなす上下方向に延びる通気経路を通ろうとする火炎は、この通気経路の中間部を仕切っている網状体２３に邪魔されて、上方への通過を遮られる。網状体２３での遮炎機能は、この網状体２３に火災が及んだ初期から発揮される。このような遮炎状態下で、前記通気経路中に配置されている未発泡の発泡剤２４が、前記通気経路を通る熱気等によって所定温度に達して発泡膨張するので、発泡済みの発泡剤２４により前記通気経路を実質的に閉塞することが可能である。
【０１２８】
このため、壁体内通気路３の各通気孔４１〜４５を通しての壁体内通気により壁体内空間の温度が比較的上がりにくく、発泡剤２４が充分機能するまでに時間がかかるにも拘らず、既述のように網状体２３が設けられた通気部に火炎が波及した初期状態以降、壁体内通気路３を通気と共に通ろうとする火炎を、網状体２３により遮って、初期の延焼抑制の実現が可能となる。この後には、網状体２３による火炎の伝播抑制状態のままで発泡剤２４を発泡膨張させて、壁体内通気路３での通気を断って火災の伝播の抑制が可能となる。
【０１２９】
その上、金属製の網状体２３は火炎を遮ることに伴って高温となるので、この上に接して置かれている発泡剤２４は、通気経路を通り抜ける熱風と共に網状体２３で加熱される。このため、発泡剤２４を素早く昇温させて発泡膨張させることができる。特に、階上側床下空間４８から壁体内空間４ｂに向けて火炎が波及する場合に例示されるように、網状体２３を境に通気経路を通る通気の風上側に発泡剤２４が配置されていて、しかも、この発泡剤２４が網状体２３に接する等網状体２３の近傍に対向して設けられている構成では、網状体２３によって遮られた火炎を有効に発泡剤２４に及ぼして、この発泡剤２４をより素早く発泡膨張させることが可能となる。更に、発泡剤２４は、通気孔内で発泡膨張するので、通気経路を確実に閉塞して、壁体内通気路３での通気を断ち火炎の伝播を抑制できる。なお、頭つなぎ２２、３７の通気孔４２、４３、及び階上側壁枠体１７ｂの下枠２６の通気孔４１は、それらへの火炎の波及方向に対して網状体２３で覆われている。このため、頭つなぎ２２、３７、及び階上側壁枠体１７ｂの下枠２６の通気孔４２、４３、及び４１の開口縁が、頭つなぎ２２、３７、及び階上側壁枠体１７ｂの他の部分に先行して火炎により燃えることを網状体２３で抑制することが可能である。
【０１３０】
又、階上側床下空間４８内の転び止め５６にその片側から火炎が波及した場合にも、転び止め５６の通気孔５７を通ろうとする火炎の伝播を、通気孔５７に火炎が波及した時点から網状体５８で抑制しつつ、発泡剤５９を発泡させて通気を断つことができる。なお、通気孔５７への火炎の波及方向に対して通気孔５７の開口縁を網状体５８で覆っている構成によれば、転び止め５６の通気孔５７の開口縁が転び止め５６の他の部分に先行して火炎により燃えることを網状体５８で抑制できる点で有利である。
【０１３１】
次に、第７〜第１０の実施形態を説明する。これらの実施形態は基本的には第６実施形態と同じ構成であるので、同じ構成には第６実施形態と同じ符号を付して、その構成および作用の説明を省略し、異なる部分について説明する。
【０１３２】
図１５に示す本発明の第７実施形態では、上側の壁枠体１７ｂの上枠２５と頭つなぎ３７とにわたる通気経路を設けることに代えて、小屋裏空間７と壁体内空間４ａとの通気部を、頭つなぎ３７の上面に下端を接して屋根側に設けた転び止め６１に設けている。つまり、転び止め６１の下端部に厚み方向に貫通する複数の通気溝６２（一つのみ図示）を所定間隔ごとに設けている。これらの通気溝６２の開放された下端は頭つなぎ４４の上面で閉じられている。各通気溝６２は、壁枠体１７ｂと断熱材５との間の隙間を通して壁体内空間４ａに連通されている。各通気溝６２の開口を塞ぐように網状体２３が、転び止め６１の少なくとも一方の側面に取付けられているとともに、各通気溝６２の夫々の内部に粒状の発泡剤２４が例えば網状体２３に付着した状態に押付けられて収容されている。なお、発泡剤２４は網状体２３に非接触に設けてもよい。以上の点以外の構成は、図１５に図示されない構成を含めて第６実施形態と同じである。
【０１３３】
この第７実施形態でも、通気部として通気溝６２内に発泡剤２４を設けたこと、及び網状体２３を設けたことにより、第７実施形態と同様に、小屋裏空間７と壁体内空間４ａとの間にわたる火炎の伝播を、通気溝６２を塞ぐ網状体２３に火炎が波及した時点から抑制しつつ、発泡剤２４を発泡させて通気を断つことが可能である。しかも、第７実施形態では、各通気溝６２に跨って設けられている網状体２３全体が露出している。そのため、発泡剤２４に対する集熱効果、つまり、火炎で加熱される網状体２３の熱を各発泡剤２４に熱伝導させることが可能である。したがって、より速やかに発泡剤２４を加熱昇温させて発泡させ易い点で優れている。
【０１３４】
図１６に示す本発明の第８実施形態では、壁体４にその壁体内空間（４ａ、４ｂの少なくとも一方）を上下方向に区画してファイアストップ材として機能するとともに、壁用内装材３１を支持する第１、第２の横架材６５、６６を接近させて設けている。横架材６５、６６は木材製又はスチール製等であって、第１の横架材６５の一側部、及び第２の横架材６６の他側部には、これら横架材６５、６６を厚み方向に貫通する複数の通気溝６７（各横架材について一つのみ図示）が長手方向に沿って所定間隔ごとに設けられている。一方の横架材例えば相対的に上位置の横架材６５の通気溝６７の開放端は壁用内装材３１で閉じられ、他方の横架材６６の通気溝６７の開放端は断熱材５で閉じられている。壁体空間内には、上下通気溝６７及び一対の横架材６５、６６間の狭い空隙からなる屈曲された通気部６８が形成されている。そして、横架材６５、６６の内の一方には、通気部６８を塞ぐように網状体２３が取付けられているとともに、通気部６８の内部に粒状の発泡剤２４が例えば網状体２３上に接して収容されている。以上の構成は、壁枠体１７ａ、１７ｂの上下の通気経路に代えて、或いは、これらの通気経路と併用して設けることができる。なお、以上の点以外の構成は、図１６に図示されない構成を含めて第６実施形態と同じである。
【０１３５】
この第８実施形態でも、通気部６８を塞ぐように網状体２３を設けるとともに、通気部６８内に発泡剤２４を設けたことにより、第１実施形態と同様に、壁体内空間内での火炎の伝播を、通気部６８を塞いだ網状体２３に火炎が波及した時点から抑制しつつ、発泡剤２４を発泡させて通気を断つことが可能である。しかも、一対の横架材６５、６６が壁体空間内に屈曲された通気部６８を形成していることから、更に火炎の伝播を抑制し易い。なお、第８実施形態では、通気溝６７の向きを逆向きにして交互に配置される横架材を３以上設けて、屈曲された通気路の屈曲回数をより多くして実施することも可能である。
【０１３６】
図１７及び図１８に示す第９実施形態は、小屋裏換気部で換気される小屋裏空間と、床下換気部で換気される床下空間とを連通する壁体内通気路を有する軸組構造の壁体４を備えるとともに、断熱材５の外側に通気層２を設けた建物に、本発明を適用した例を示している。
【０１３７】
この建物の２階又は３階の階上側床下空間４８に臨んだ壁体４の横架材７１を備えている。横架材７１は、木材等で作られていて、壁体内区画材として機能しており、更に、梁又は端根太としても用いられている。階上側床体をなす耐力面材３２は、間隔的に配置された階上用木製床根太７２上に取付けられている。各床根太７２の端部は横架材７１上に連結されている。それにより、上下に対向する耐力面材３２及び横架材７１と、これらの間に挟まれた各床根太７２の端部との間に通気部７３が形成されている。通気部７３の通気方向一端は横架材７１より上側の壁体内空間４ａに連通され、通気方向他端は階上側の床下空間４８に連通されている。
【０１３８】
通気部７３にはその例えば壁体内空間４ａ側一端を塞ぐように網状体２３が設置されている。詳しくは、網状体２３の折り曲げられた上部は、各床根太７２の端部と階上側の耐力面材３２との間に挟まれ、前記上部とは反対向きに折り曲げられた網状体２３の下部は横架材７１の上面に重ねられている。網状体２３の上部と下部は必要に応じて釘打ち等により固定される。この網状体２３の取付けによって、その上部と下部との間の中間部分が、通気部７３の壁体内空間４ａ側一端を塞いでいる。
【０１３９】
通気部７３には例えば横架材７１の上面に支持させて発泡剤１２４が設けられている。それにより、発泡剤１２４は、壁体内空間４ａに向けて床下空間４８から通気部７３を通る通気の風上側に設けられていて、網状体２３に接触して配置されている。なお、発泡剤１２４は網状体２３に臨んで近接させて設けることもできる。発泡剤１２４には、粒状のものを所定間隔に配置して用いてもよいが、本実施形態では、練った状態の発泡剤１２４を収容した図示しないチューブを用いて、このチューブの開口から横架材７１の上面に発泡剤１２４を適当な長さに押出したものを用いている。
【０１４０】
横架材７１と階下の壁用内装材３１の上端部との間には、ファイアストップ材７５が挟設されている。このファイアストップ材７５の横架材７１側の端部には、これを厚み方向に貫通する溝からなる複数の通気部７６（一つのみ図示）が所定間隔ごとに設けられている。これらの通気部７６を介して横架材７１より下側の壁体内空間４ｂと床下空間４８とが連通されている。
【０１４１】
ファイアストップ材７５には各通気部７６の例えば下端開口を塞ぐように網状体２３が取付けられている。これとともに、各通気部７６の夫々の内部に粒状の発泡剤２４が例えば網状体２３上に接して収容されている。又、壁体４に設けられるその他の図示しない横架材には、壁体内通気を可能とするための通気部が設けられているとともに、これらの通気部に対しては夫々網状体と発泡剤とが設けられている。なお、以上の点以外の構成は、図１７及び図１８に図示されない構成を含めて第６実施形態と同じである。
【０１４２】
この第９実施形態でも、通気部７３、７６内に発泡剤２４を設けたこと、及び通気部７３、７６を塞ぐように網状体１２３、２３を設けたことにより、第６実施形態と同様に、床下空間４８と壁体内空間４ａ、４ｂとの間にわたる火炎の伝播を、通気部７３、７６を塞ぐ網状体１２３、２３に火炎が波及した時点から抑制しつつ、発泡剤２４を発泡させて（図１７中２点鎖線で発泡状態を示す。）通気を断つことが可能である。しかも、第９実施形態では、各通気部７３に跨っている網状体１２３、及び各通気部７６に跨っている夫々の網状体２３の全体が露出している。それにより、発泡剤２４に対する集熱効果、つまり、火炎で加熱される網状体１２３、２３の熱を各発泡剤２４に熱伝導させることができるので、より速やかに発泡剤２４を発泡させ易い点で優れている。
【０１４３】
図１９（Ａ）（Ｂ）に示す第１０実施形態では、壁体の横架材などの壁体内区画材８１に、これを厚み方向に貫通する通孔８２を設けているとともに、この通孔８２に通気防炎筒状体８３を挿入して保持している。通気防炎筒状体８３は、通気部をなす筒状部８４に網状体２３と発泡剤２４とを設けて形成されている。
筒状部８４は、好ましくは金属製であり、軸方向両端が夫々開放されているとともに、その外周から張り出しフランジ８４ａを一体に有している。このフランジ８４ａは通孔８２より大径であって、必要により壁体内区画材８１に釘などの固定具８５を用いて固定されるように、筒状部８４の一端部若しくは中間部に網状体２３が取付けられている。本実施形態では、筒状部８４の中間部に内側に突出する環状の支え部８４ｂを設けて、この支え部８４ｂに筒状部８４の内空部の断面形状に合わせた網状体２３が上方から支持されている。
【０１４４】
この網状体２３上に発泡剤２４が接して設けられ、したがって、発泡剤２４は筒状部８４に収容されている。前記通気防炎筒状体８３は、その筒状部８４を通孔８２に貫通させて各壁体内区画材８１に取付けられており、これらの通気防炎筒状体８３によって壁体内通気を可能とするようになっている。
【０１４５】
以上の説明以外の構成は、図示されない部分を含めて第６実施形態と同じである。この第１０実施形態でも、火災時にこの筒状体８３内を通る壁体内空間内での火炎の伝播を、火炎が通気防炎筒状体８３に波及した時点から網状体２３で抑制しつつ、この網状体２３上の発泡剤２４を速やかに発泡させて通気を断つことが可能である。
【０１４６】
なお、この第１０実施形態のように通気防炎筒状体８３を用いて火炎の伝播を防止する場合には、発泡剤２４を巻き込んでこの発泡剤２４を内側に保持するように網状体２３を丸めて、この網状体２３を筒状部８４内に挿入することにより、丸まった網状体が広がることを利用して保持させてもよい。
【０１４７】
なお、第６〜第８、及び第１０の実施形態では、その発泡剤として、第９の実施形態で例示したようにチューブから押出される発泡剤を用いることも可能である。
【０１４８】
本発明は、既述のようにいわゆるツーバイフォー、ツーバイシックス材等で構成される壁枠体を備えた枠組壁工法で作られる、これらの壁体を備えた枠組壁工法や、これらの防火方法を実施する木造軸組工法以外にも、壁体構造の一部を軽量形鋼に置換しいわゆるスチールハウスや鉄骨造とした建物にも適用可能である。又、本発明は、建物内部の間仕切壁等の内部にも適用できるとともに、繋留された船舶や地面に固定された車両等の建築物（建造物）にも適用できる。
【０１４９】
【発明の効果】
本発明によれば、非火災時の壁体内通気を保証し、火炎が波及した時にこの火炎が壁体内通気路を通ることを抑制する効果が大きい建造物の壁体、及び建物、並びに防火方法を提供することにある。
【図面の簡単な説明】
【図１】本発明の第１実施形態の建物が備える壁体まわりを示す断面図。
【図２】図１の建物が備える壁体の２階以上の居室床下まわりを示す断面図。
【図３】図１の建物が備える壁体の軒部まわりを示す断面図。
【図４】図１の建物が備える壁枠体の一部を示す斜視図。
【図５】（Ａ）、（Ｂ）、（Ｃ）は、図１の建物の壁体に設けることが可能な夫々異なる上下両枠の一部を示す斜視図。
【図６】本発明の第２実施形態の建物が備える壁体の軒部まわりを示す断面図。
【図７】本発明の第３実施形態の建物が備える壁体を示す断面図。
【図８】本発明の第４実施形態の建物が備える壁体の２階以上の居室床下まわりを示す断面図。
【図９】本発明の第５実施形態の建物が備える壁体の２階以上の居室床下まわりを示す断面図。
【図１０】本発明の第６実施形態の建物が備える壁体まわりを示す断面図。
【図１１】図１０の建物が備える２階以上の居室床下まわりを示す断面図。
【図１２】図１０の建物が備える壁体の小屋裏空間まわりを示す断面図。
【図１３】図１０の建物の壁体が備える壁枠体を示す斜視図。
【図１４】（Ａ）は図１３中Ｚ−Ｚ線に沿う縦断面図。（Ｂ）は図１３中Ｙ−Ｙ線に沿う縦断面図。（Ｂ）は図１３中Ｘ−Ｘ線に沿う横断面図。
【図１５】本発明の第７実施形態の建物が備える壁体の小屋裏空間まわりを示す断面図。
【図１６】本発明の第８実施形態の建物が備える壁体の一部を示す断面図。
【図１７】本発明の第９実施形態の建物が備える壁体の２階居室床下まわりを示す断面図。
【図１８】図１７の居室床下まわりを一部切欠いて示す斜視図。
【図１９】（Ａ）は本発明の第１０実施形態の建物が備える壁体の通気部まわりを示す断面図。（Ｂ）は図１９（Ａ）の通気部まわりを分解して示す斜視図。
【符号の説明】
１、２０１…建物（建造物）
２、２０２…外側通気層（通気空間）
３、２０３…壁体内通気路（内側通気層）
４、２０４…壁体
４ａ、４ｂ、２０４ａ、２０４ｂ、２０４ｃ…壁体内空間（通気空間）
５、２０５…断熱材
６、２０６…外装材
７、２０７…小屋裏空間
８、２０８…屋根材
９、２０９…小屋裏断熱材
１０、２１０…屋根部外側通気層
１１、２１１…小屋裏ダンパー（小屋裏換気部）
１２、２１２…床下空間
１３、２１３…基礎コンクリート
１３ａ、２１３ａ…断熱層
１４、２１４…換気口
１５、２１５…床下ダンパー（床下換気部）
１６、２１６…土台
１７ａ…階下用壁枠体
１７ｂ…階上用壁枠体
２１８…壁枠体
２１８ａ…階下用壁枠体
２１８ｂ…階上用壁枠体
２３…通気防炎網状体
２４、１２４…発泡剤
２６、２２２…下枠（壁体内区画材）
２５、２２３…上枠（壁体内区画材）
２２、３７、２２４…頭つなぎ
２８、２２５…たて桟
３１、２２６…壁用内装材
３２、２２７…床耐力面材
３２ａ、２２７ａ…床耐力面材の延長部分
４０、２２８…床根太
４１〜４５、２３３…通気孔（通気部）
５６…転び止め（床下空間区画材）
５７…通気孔（通気部）
５８…通気防炎網状体
５９…発泡剤
６１…転び止め
６２…通気溝（通気部）
６５、６６…横架材（壁体内区画材）
６７…通気溝（通気部）
７１…横架材（壁体内区画材）
７３…通気部
７６…通気溝（通気部）
８１…壁体内区画材
８２…通孔
８３…通気防炎筒状体
２３４…階上側床下空間
Ｓ…居住空間
２３６…天井用内装材
２３８…側根太又は端根太
２３９…面材
２４２…通気防炎網状体
２４３…通気孔（頭つなぎ用）
２４４…通気孔（床耐力面材用
２４５…通気孔（鉛直材用）
２５１…転び止め
２５２…通気部
２５３…通気防炎網状体
２６１…横架材
２６２…横架材
２６３…通気溝
２６４…通気防炎網状体
２６５…通気部
２７１…胴差し又は梁
２７２…床根太
２７３…通気部
２７４…通気防炎網状体
２７５…目地止め材
２７７…通気部
２７８…通気防炎網状体
２８１…通気孔
２８２…通気防炎網状体
【図１】
2004162517.tif 000003
【図２】
2004162517.tif 000004
【図３】
2004162517.tif 000005
【図４】
2004162517.tif 000006
【図５】
2004162517.tif 000007
【図６】
2004162517.tif 000008
【図７】
2004162517.tif 000009
【図８】
2004162517.tif 000010
【図９】
2004162517.tif 000011
【図１０】
2004162517.tif 000012
【図１１】
2004162517.tif 000013
【図１２】
2004162517.tif 000014
【図１３】
2004162517.tif 000015
【図１４】
2004162517.tif 000016
【図１５】
2004162517.tif 000017
【図１６】
2004162517.tif 000018
【図１７】
2004162517.tif 000019
【図１８】
2004162517.tif 000020
【図１９】
2004162517.tif 000021